(57)【要約】【課題】木造家屋に使用されている木材や木質材料等のシロアリによる被害を防止するために、ベイト方式により人畜に対しては毒性等の悪影響がなく、シロアリを死滅させたり、その成育を抑制、阻止することができるシロアリの殺虫、成育抑制方法を提案する。【解決手段】シロアリの殺虫、成育抑制成分であるベイト剤を担持材料に含浸してなるベイト材料に、一定時間毎にシロアリ誘引剤を添加することを特徴とし、前記ベイト剤のうちの少なくとも一種類以上を含浸してなるベイト材料に、天然抽出物質又は化学合成物質からなるシロアリ誘引剤のうちの少なくとも一種類以上を添加し、使用することを特徴とするシロアリの殺虫、成育抑制方法。【選択図】　　　　　図１
2004008161.tif 000002
【特許請求の範囲】
【請求項１】
シロアリの殺虫、成育抑制成分であるベイト剤を担持材料に含浸してなるベイト材料に、一定時間毎にシロアリ誘引剤を添加することを特徴とするシロアリの殺虫、成育抑制方法。
【請求項２】
シロアリの殺虫、成育抑制成分である食毒殺虫剤又は成育抑制剤等のベイト剤のうちの、少なくとも一種類以上を含浸してなるベイト材料に、天然抽出物質又は化学合成物質からなるシロアリ誘引剤のうちの少なくとも一種類以上を添加し、使用することを特徴とする請求項１に記載のシロアリの殺虫、成育抑制方法。
【請求項３】
ベイト剤及びシロアリ誘引剤を担持する担持材料は、木材、木粉、木質材料、繊維質材料又はプラスチック材料等のシロアリ嗜好物質の内から選ばれた何れかであることを特徴とする請求項１又は請求項２に記載のシロアリの殺虫、成育抑制方法。
【発明の詳細な説明】
【０００１】
【発明の属する技術分野】
本発明は、木造家屋に使用されている木材や木質材料等のシロアリによる被害を防止するために、ベイト方式により人畜に対しては毒性等の悪影響がなく、シロアリを死滅させたり、その成育を阻止することができるシロアリの殺虫、成育抑制方法に関する。
【０００２】
【従来の技術】
従来、ベイト方式による防虫、殺虫方法は、通常の薬剤散布方式に代わって人畜に安全な方法として、農業害虫や不快害虫の駆除に採用されてきた。
その中には、シロアリの殺虫剤として、既に、開発され販売されているものや開発途上のものが幾つかある。
【０００３】
例えば、ダウ・エランコ社のセントリコン、ＦＭＣ社のファーストライン、ＡＣＣ社のアムドロ等が挙げられる。
上記ダウ・エランコ社のセントリコンは、側面にシロアリが通過できる程度の開口部を網目状に設けたプラスチック製の円筒体を土壌中に埋設し、第一段階では、シロアリの嗜好性の高い木材（一般に、モニタリング材、誘引木材、デバイス等と呼ばれている）を上記円筒体内に設置して、シロアリの接近を確認するため、一定期間後にモニタリング材を取り出す。
【０００４】
そして、シロアリの接近が確認された場合には、直ちに第二段階として、取り出したモニタリング材に代え、キチン合成阻害物質を含浸させたベイト材料を設置する。その際に、モニタリング材に取り付いたシロアリ（イエシロアリの場合のみ）も同時に円筒体内に戻す方式（一般に、これをセルフリクルーティングと呼び、ダウ・エランコ社の特徴とする方式）を採用している。警戒心の強いヤマトシロアリでは、モニタリング材を最初に二段にして円筒体内に設置し、観察時には、上段のモニタリング材を取り出してシロアリの接近状態を確認し、接近が確認された場合には、上段のモニタリング材だけをベイト材料と交換するが、その際、取出したモニタリング材に取付いたヤマトシロアリは元へは戻さない。
【０００５】
上記ダウ・エランコ社のベイト方式は、一見、シロアリの特徴をよく理解した上での方法に見えるが、モニタリングに用いる木材にはシロアリの誘引性はなく、特に、微生物による汚染が酷く、逆にシロアリに対して忌避的に作用し、また、モニタリングという手段は、例え警戒心の少ないイエシロアリであっても、ベイト材料から逃避させる要因となるものであり、また、ヤマトシロアリの場合において、上述の二段方式のモニタリング材を使用したとしても、警戒心を解くことは難しい等の問題がある。
【０００６】
また、ＦＭＣ社のファーストラインは、上記セントリコンのような二段方式を一転させ、始めから毒餌を含浸させたベイト材料をシロアリの棲息箇所に設置する方式を採っており、ベイト材料に対するシロアリの警戒心を最小限に抑える試みがなされている。しかし、ベイト材料として毒餌を含浸させる対象にダンボール紙を使用している点に問題がある。即ち、ダンボール紙が土中の水分を取込むことにより、微生物によるダンボール紙の汚染や腐食が促され、このことがシロアリのベイト材料への接近又はベイト材料の摂取を阻害することになる。また、ダンボール紙自体にシロアリを誘引する要素が全くないので、シロアリをベイト材料へ引き寄せるための手段とはならないものである。
【０００７】
更に、ＡＣＣ社のアムドロは、上記セントリコンとファーストラインの中間的な特徴を有し、一段方式であって、ベイト材料として毒餌を含浸させる対象材料には、セルロース又は木粉が利用されている。しかし、上述のセントリコンとファーストラインと同様に、シロアリの誘引性に難点を有するという問題がある。
【０００８】
上記従来のベイト方式における最大の課題は、シロアリを高い頻度で、且つ、着実にベイト材料に誘引して防蟻薬剤を摂取させる方法に欠点がみられる。
即ち、ベイト方式は、通常のシロアリ防虫、殺虫方法である防蟻薬剤の散布方法とは異なり、防蟻施工面積が著しく少なく、スポット的な防蟻施工に止まっていることから、シロアリがベイト材料を経由せずに木材等の食害箇所に接近する頻度が高くなる。そこで、如何にベイト材料にシロアリを近付け、接触させるかが課題となる。
【０００９】
【発明が解決しようとする課題】
本発明は、上記従来の課題を解決する為のものであって、先ず、防蟻施工における時間的な無駄を軽減することと、不必要にシロアリの警戒心をかき立てないようにするという点から、シロアリの誘引と殺虫を同時に行なうようにし、また、シロアリを効率的に嗜好物質へ誘引し、接近させるためにシロアリ誘引剤を使用し、そして、シロアリ嗜好物質である担持材料へのシロアリの誘引、接近を持続させて、長期に亘り、殺虫、成育抑制効果が得られるように、シロアリ誘引剤を一定時間毎に担持材料へ添加し、補充してやるシロアリの殺虫、成育抑制方法を提供しようとするものである。
【００１０】
【課題を解決するための手段】
上記課題を解決するための本発明の要旨は、シロアリの殺虫、成育抑制成分であるベイト剤を担持材料に含浸してなるベイト材料に、一定時間毎にシロアリ誘引剤を添加することを特徴とするシロアリの殺虫、成育抑制方法である。
【００１１】
【発明の実施の形態】
以下、本発明のシロアリ用殺虫剤の実施例について具体的に説明する。
図１は本発明で使用する処理装置の一例を示す側面図であり、図２は本発明で使用する処理装置の他の例を示す側面図であり、図３は本発明で使用する処理装置の更に他の例を示す側面図である。
【００１２】
本発明は、シロアリの殺虫、成育抑制成分であるベイト剤を、担持材料に含浸してなるベイト材料に、一定時間毎にシロアリ誘引剤を添加することを特徴とする。
【００１３】
また、上記シロアリの殺虫、成育抑制成分である食毒殺虫剤又は成育抑制剤等のベイト剤のうちの、少なくとも一種類以上を含浸してなるベイト材料に、天然抽出物質又は化学合成物質からなる上記シロアリ誘引剤のうちの少なくとも一種類以上を添加し、使用することを特徴とする。
【００１４】
そして、上記ベイト剤及びシロアリ誘引剤を担持する担持材料は、木材、木粉、木質材料、繊維質材料又はプラスチック材料等のシロアリ嗜好物質の内から選ばれた何れかであることを特徴とする。
【００１５】
本発明では、シロアリ殺虫、成育抑制成分の食毒殺虫剤や成育抑制成分であるベイト剤が、担持材料に担持されているものをべイト材料と云う。
【００１６】
本発明で用いられる上記シロアリ誘引剤は、ｎ−シス−３−，シス−６−，トランス−８−ドデカトルエン−１−オール、ｎ−シス−３−，シス−６−シス−８−ドデカトルエン−１−オール、ｎ−シス−３−，トランス−６−シス−８−ドデカトルエン−１−オール、３−ヘキセン−１−オール、ジエチレングリコールモノブチルエーテル、ｎ−カプロン酸、ジテルペン（Ｃ２　０Ｈ３　２）、２，６，１０−トリメチル−２，６，１０−ドデカトリエン、９−オキソ−トランス−２−デセン、４−フエニル−シス−３−ブテン−１−オール、シス−５−，シス−６−ドデカジエン−１−オール、ｄ−カンファー、ケイ皮アルコール、ケイ皮酸シンナミル、酢酸シンナミル、３−メチル−α−イオノトルイジン、ｎ−ドデカトルエン−１−オール等の化学合成物質が挙げられる。
【００１７】
また、上記シロアリ誘引剤は、キチリメンタケにより腐朽されたアスペン材、及び、ナミダタケやＬｅｎｚｉｔｅｓ　ｔｒａｂｅａ等の腐朽菌により腐朽されたマツ材やツガ材を、温水又はアルコール等の有機溶媒で抽出して得られる天然抽出物質も使用できる。そして、上記各種シロアリ誘引剤のうちの少なくとも一種類以上を混合、使用することにより、目的とするシロアリの誘引効果が得られるものである。
【００１８】
本発明において、シロアリ誘引剤は水に溶解させて使用することが望ましいが、水に不溶の場合には、予め、エチルアルコール等に溶解したのち、これを水で分散させてやることも可能である。また、シロアリ誘引性のあるジエチレングリコールモノブチルエーテル等のグリコールエーテルに溶解させたものを、水で分散させて使用することもできる。更に、シロアリへの忌避性が殆んどないようなその他の有機溶媒に、界面活性剤等の分散剤を加えて溶解させたのち、水で乳化又は分散させて使用することもできる。また、シロアリ誘引剤は、溶媒希釈をせずに原液を直接に木材等の開口部やプラスチック袋容器内に注入して使用することもできる。
【００１９】
そして、シロアリ誘引剤は、単独又は二種類以上を、担持材料に対して、０．００１〜１０重量％、好ましくは、０．０１〜０．１重量％が混合される。シロアリ誘引剤をプラスチック材料等に練り込む場合には、予め、有機溶媒に溶解したシロアリ誘引剤を、上記同様の含有比率となるように混合したのち成形することができるが、この場合のシロアリ誘引剤の補充は、担持材料が木材等である場合と同様に行なう。
【００２０】
そして、本発明で利用するシロアリ殺虫成分であるベイト剤のうちの食毒殺虫剤としては、ヒドラメチルノン、スルフルアミド、ミレックス、硼酸や硼砂等の硼素化合物、アベルメクチン等があり、単独又は二種類以上を混合して担持材料に含浸し、使用することができる。処理方法には、食毒殺虫剤の溶解溶液に担持材料を長時間浸漬させる方法のほか、食毒殺虫剤を担持材料に減圧下で注入して、効率的に処理することもできる。
【００２１】
上記食毒殺虫剤は、担持材料に対して、０．０００１〜１重量％、好ましくは、０．００１〜０．１重量％が添加される。
上記食毒殺虫剤のほか、既に、散布処理用の防蟻薬剤として使用されているもののうち、遅効性でシロアリに対し忌避性の少ないイミダクロプリド、アセタミプリド、クロロフェナピル、フィプロニル、エトフェンプロックス等を利用することもできる。
【００２２】
一方、本発明で利用するシロアリの成育抑制成分であるベイト剤のうちの成育抑制剤（キチン合成阻害物質）としては、ジフルベンスロン、ヘキサフルムロン、ピリプロキシフェン、メトプレン、フェノキシカルブ等がある。
【００２３】
なお、上記シロアリ誘引剤やベイト剤の殺虫剤、成育抑制剤を担持する担持材料としては、アカマツ、クロマツ、ベイマツ等のマツ類、ベイツガ、スギの辺材、カバ類、カエデ類、ポプラ類等のシロアリに対して抵抗性のない樹種が選定される。レッドシダー類は微生物には抵抗性が高いものの、シロアリに対する抵抗性が低いことから適用樹種の一つである。
上記担持材料としては、木材に限らずセルロース等の木質材料、紙等の繊維材料や木粉など、木材に関連する材料は勿論のこと、シロアリが触れて齧る特性を利用して各種プラスチック材料も適用される。
【００２４】
本発明で、シロアリを誘引させる手段として、例えば、図１乃至図３に示すような処理装置１，２１，３１が用いられる。
即ち、図１に示す処理装置１は、底部を除く側壁全面にシロアリが出入りできる無数の透孔部１１１を穿設したプラスチック製容器よりなる装置本体１１と、この装置本体１１の上頂部に被せるプラスチック製の蓋体１２と、上記装置本体１１内に設置される木材、プラスチック製成形品等の担持材料１３から構成されている。
上記担持材料１３は、木材等の底部に所定の厚みを残し、貫通しないように木口面から１〜１０ケ所程度の穴部１３１を穿設したものであり、この担持材料１３に、食毒殺虫剤ａ１や成育抑制剤ａ２等のベイト剤ａを浸漬し、また、シロアリ誘引剤Ｂを添加してベイト材料Ａとして利用されるものである。
尚、図２に示す処理装置２１のように、担持材料１３としてプラスチック製成形品を使用し、これにベイト剤ａ及びシロアリ誘引剤Ｂを練り込んでベイト材料Ａとしてもよい。
【００２５】
また、図３に示す処理装置１は、底部を除く側壁全面にシロアリが出入りできる無数の透孔部１１１を穿設したプラスチック製容器よりなる装置本体１１と、この装置本体１１の上頂部に被せるプラスチック製の蓋体１２と、上記装置本体１１内に設置される担持材料１３から構成されるが、上記処理装置１内へは、シロアリの出入りできる無数の透孔部１１１が穿設されたプラスチック製袋１４に、担持材料１３である木粉等が充填されているものである。そして、上記担持材料１３の木粉等を、食毒殺虫剤ａ１や成育抑制剤ａ２等のベイト剤ａに浸漬し、また、シロアリ誘引剤Ｂを添加して、ベイト材料Ａとして利用するものである。
【００２６】
上述した何れの処理装置１，２１，３１も、実用に当り土壌中に埋設しておけば、土中から処理装置１，２１，３１へ接近するシロアリを、装置本体１１の透孔部１１１からベイト材料Ａへ誘引することができる。そして、本発明で用いる処理装置１，２１，３１は、小型であるので設置場所を取らず、しかも、防蟻施工に手間取らずにシロアリを効率的に殺虫、成育抑制処理することができる。
【００２７】
本発明により、ベイト材料に、一定時間毎に長期間に亘りシロアリ誘引剤を添加してやれば、高い頻度でベイト材料にシロアリを誘引することができると共に、誘引されたシロアリはその成育が抑制され、或いは、死滅するものである。
即ち、シロアリ誘引剤により、シロアリに対して食毒害のある殺虫剤や、成育抑制剤等のベイト剤が含浸されたベイト材料へシロアリが引き寄せられるので、防蟻施工面積が少なくとも、効率的にシロアリの成育を抑制し、又は、その絶滅を図ることができるという作用効果が得られる。
【００２８】
そして、ベイト剤やシロアリ誘引剤を担持する担持材料はシロアリ嗜好物質であるので、これがシロアリ誘引剤と相俟って、殺虫剤や成育抑制剤を含むベイト材料への効率的な誘引が可能となり、不必要にシロアリの警戒心をかき立てることなく、シロアリの誘引と殺虫とを同時に行なうことができるものである。
【００２９】
【実施例】
［実施例１］
図４に示すように、直径１０ｃｍ、長さ２５ｃｍの処理装置本体（底付きポリスチレン製容器）１１を準備し、その底部を除く側壁全面に直径０．５ｃｍの無数の透孔部１１１を穿設し、上部に直径２０ｃｍの蓋体１２を取付けた。
別に、直径８ｃｍ、長さ２０ｃｍの担持材料（アカマツ辺材丸太）１３を準備し、この担持材料１３の丸太木口には、中心から半径３ｃｍになるように円を描き、木口円面を８等分する印を付け、その印を中心に直径１ｃｍの穴部１３１を形成した。この穴部１３１は丸太の底部から２ｃｍの所で止め、貫通しないようにした。
【００３０】
次に、アカマツ辺材丸太をシロアリ誘引剤Ｂで処理し、下記処理区分とした。
ａ．試験開始時にシロアリ誘引剤Ｂで処理しただけ。
ｂ．ａ区に、試験開始３ヶ月目から３ヶ月毎にシロアリ誘引剤Ｂを補充した。
ｃ．無処理。
ｄ．ｃ区に、試験開始３ヶ月目から３ヶ月毎にシロアリ誘引剤Ｂを補充した。
【００３１】
なお、シロアリ誘引剤Ｂには、ｎ−シス−３−，シス−６−，トランス−８−ドデカトルエン−１−オールを使用し、担持材料１３のシロアリ誘引剤Ｂによる処理方法は、下記の通りである。
即ち、シロアリ誘引剤Ｂをエタノールに０．６重量％溶解させ、これを水にて重量比で２倍に希釈した。調製したシロアリ誘引剤Ｂの溶液中に、上述の如く加工したアカマツ辺材丸太１３を完全に沈め、これを真空デシケータ内に置いて、真空度−９３ｋｐａで２時間以上減圧した後に常圧に戻し、１時間放置した。この操作を、シロアリ誘引剤Ｂのアカマツ辺材丸太１３への含浸量が３００ｋｇ／ｍ３程度になるまで繰返し行ない、シロアリ誘引剤Ｂの含有量が０．０１重量％の試験材料を得た。
【００３２】
シロアリ誘引剤Ｂを補充する場合は、上記担持材料のアカマツ辺材丸太１３の穴部１３１一つ当りに、調製したシロアリ誘引剤Ｂの溶液を２ｍｌ（リットル）添加した。
そして、含浸処理した上記アカマツ辺材丸太１３を、上記処理装置本体のポリスチレン製容器１１内に入れ、蓋体１２で覆って試験処理装置１となし、これをイエシロアリが棲息、営巣する鹿児島県の海岸防風林内に設置し、イエシロアリの食害状況やベイト剤ａの効力発現状況を観察した。試験処理装置１の設置は直接土壌中に埋設しないで、下記方法で行なった。
【００３３】
即ち、社団法人日本木材保存協会規格第１３号（野外試験）に準拠して、モルタルスレートで一辺４５ｃｍ、高さ３０ｃｍの試験用ボックスを作製し、このボックスの中央に、長さ３８ｃｍ、幅１２ｃｍ、高さ１９ｃｍのコンクリートブロックを置き、その上に試験処理装置１を設置した。上記コンクリートブロックは５ｃｍ程度土壌中に埋設したが、これはイエシロアリの行動範囲から、餌のアカマツ辺材１３を土壌面から離して、誘引剤Ｂだけの効果を確認するためである。
【００３４】
なお、イエシロアリの営巣の有無は、既存の超音波式シロアリ探知センサーを用いて予め確認できる場所とした。試験は３月中旬に開始し、２年間継続して性能を評価した。試験結果の概要は下記表１及び表２の通りである。
【００３５】
【表１】
2004008161.tif 000003
【００３６】
【表２】
2004008161.tif 000004
【００３７】
但し、上記表１及び表２中、○……接近有り、　△……僅かに接近、　×……接近無しを各々表わす。
表１及び表２の通り、誘引剤Ｂの添加でイエシロアリのアカマツ辺材への接近が促進され、また、誘引剤Ｂの補充により接近効果が持続することが判明した。
【００３８】
［実施例２］
粒径０．５〜３ｍｍ程度の火山性軽石（商品名；大江産業社製　バミスター０５２８）に、誘引剤及び／又は殺虫剤を０．０１重量％になるように混合したものを準備した。誘引剤として４−フェニル−シス−３−ブテン−１−オールを用い、ベイト剤の殺虫剤としてヒドラメチルノンを用い、これらの希釈剤としてアセトンを使用した。先ず、アセトンに誘引剤、殺虫剤を０．１重量％溶解した中間体を準備し、火山性軽石に対する中間体の重量比が９：１になるように、よく撹拌しながら混合し、全量を混合したのち室内で５時間乾燥させ、これを試験材料のベイト材料として供試した。
【００３９】
直径１０ｃｍのガラス製ペトリ皿に、厚さ約０．２ｃｍまで石英砂（粒径０．１〜０．２ｃｍ）を敷き詰め、中央に直径２ｃｍ、高さ０．５ｃｍの硬石膏の円盤を設置した試験処理装置を作製した。石英砂には約３ｍｌ（リットル）の精製水を滴下し、硬石膏の円盤上に１ｇの試験材料を置いた。次に、イエシロアリの職蟻５０匹、兵蟻５匹を投入したのち、温度２８±２℃、環境湿度８５±２％に調整した恒温器内に放置し、イエシロアリの行動を観察した。
【００４０】
誘引剤を添加した試験区の一部については５日毎に２回、また、残りの一部については５日目に１回だけ、０．００００２５重量％の誘引剤濃度のアセトン溶液を０．２５ｍｌ（リットル）づつ補充した。試験は１５日間行ない、試験材料に接触するイエシロアリの職蟻の個体数を計測した。その結果は下記表３の通りである。
【００４１】
【表３】
2004008161.tif 000005
【００４２】
但し、上記〔表２〕中、○……添加有り、×……無添加、★……補充２回、☆……補充１回を各々表わす。
表３の通り、食害殺虫剤の有無は、イエシロアリの誘引性に全く影響を及ぼさないこと、また、シロアリ誘引剤の添加により、イエシロアリが着実に誘引されること、更に、シロアリ誘引剤は時間の経過と共に消失するが、このシロアリ誘引剤を補充してやることにより、誘引性が維持されること等が判明した。
【００４３】
［実施例３］
上記実施例１と同様の誘引剤を含浸させた試験材料を準備し、これを容量１５ｌ（リットル）の横口付きガラス真空デシケータに入れ、８時間放置した。デシケータの横口にはガラス製の三方コックを取付け、外側の管の一つには、中間にシリカゲル／活性炭を充填した吸着フィルターを取付けたゴム管を接続し、逆のゴム管の端をエアサンプラーポンプに接続した。
その後、コックを解放してデシケータ内の空気を吸引し、内部に充満していた誘引剤を吸着フィルターで捕集した。捕集したのちフィルター内の充填材をアセトンで抽出し、カピラリーカラムを装着した水素炎検出器付きのガスクロマトグラフィーにより誘引剤を定量分析した。
【００４４】
更に、上記試験材料を４０±２℃の循環式乾燥器内に一定時間放置して、誘引剤を揮散させた。一部の試験材料については、２週間毎に、穿った穴部一つ当りに、調製した誘引剤溶液を２ｍｌ（リットル）づつ補充した。試験は２１０日間とし、３０日毎に乾燥器から取出し、上記同様に真空デシケータを用いて試験材料からの誘引剤の揮散量を測定した。
【００４５】
試験結果は、乾燥器による揮散操作前の揮散量（誘引剤及び食毒殺虫剤を含浸させた試験材料からの揮散量）を１００とした場合の相対的な量で示した。
なお、４０℃における８週間の揮散操作は、農薬の残存性試験における約１年に相当する。従って、２週間毎の誘引剤の補充は、通常の環境下における約３ヶ月毎の補充に相当する。結果の概要は下記表４の通りである。
【００４６】
【表４】
2004008161.tif 000006
【００４７】
但し、上記表４中、○……誘引剤の揮散有り、　×……誘引剤の揮散無し、−……検出不可能を各々表わす。
表４の通り、誘引剤のみを添加した場合と、誘引剤と食毒殺虫剤との併用の場合は、揮散量の減衰状況は経過日数と共に同様に漸減傾向を示し、また、誘引剤の補充により残損揮散量が比較的高い値を維持していることを示している。
【００４８】
［実施例４］
上記実施例１と同様の誘引剤を含浸させた試験材料を用い現場試験に供した。試験現場は二種類とし、一方は３ヶ月毎に誘引剤の補充を行ない、他方は補充を行なわない現場とした。使用した担持材料の樹種はアカマツ辺材に代りレッドシダーとした。これは試験期間中に微生物による影響を受け難いことを希望する目的からである。使用した誘引剤及び食毒殺虫剤は実施例１と同様とし、試験期間は３月中旬から２年間実施した。
【００４９】
各試験現場とも既にイエシロアリによる被害が確認されており、また、被害状況、住宅の建築様式、総床面積及び地域がほぼ類似したものを２ヶ所選定した。ベイト材料の設置数はそれぞれ１５本づつとした。性能の評価は、ベイト材料へのイエシロアリの接近状況、ベイト材料の食害状況、或いは、イエシロアリの相対的な個体数の変化等から総合的に行なった。その試験結果の概要は下記表５及び表６の通りである。
【００５０】
【表５】
2004008161.tif 000007
【００５１】
【表６】
2004008161.tif 000008
【００５２】
表５及び表６の通り、ベイト材料として十分な効果を期待するには、誘引剤の定期的な補充を行ない、シロアリに食毒殺虫剤を着実に摂取させることが必要であることが判明した。
【００５３】
本発明により、シロアリ嗜好物質である担持材料に食毒殺虫剤や成育抑制剤を含浸したベイト材料を用い、これにシロアリ誘引剤を一定時間毎に添加、補充してやることにより、長期間に亘り高い頻度で、且つ、着実にシロアリを誘引することができると共にその成育を抑制し、或いは、これを死滅させることができるものである。
【００５４】
また、本発明に従ってシロアリ誘引剤を適用すれば、通常のシロアリ防虫、殺虫方法である防蟻薬剤の散布方法とは異なり、食毒殺虫剤や成育抑制剤を含むベイト材料へシロアリが容易に誘き寄せられるので、防蟻施工面積が少なくとも、効率的にシロアリの成育を抑制し、その絶滅を図ることができるという作用効果が得られる。
【００５５】
更に、シロアリ殺虫成分である食毒殺虫剤、及び、キチン合成阻害物質であるシロアリ成育抑制剤等のベイト剤は、人畜に対しては毒性の影響がなく安全であると共に、ベイト材料の基材である担持材料がシロアリ嗜好物質であるので、シロアリに対して不必要に警戒心をかき立てることがなく、従って、シロアリの誘引と殺虫とが同時に行なえるものである。
【図面の簡単な説明】
【図１】本発明で使用する処理装置の一例を示す側面図である。
【図２】本発明で使用する処理装置の他の例を示す側面図である。
【図３】本発明で使用する処理装置の他の例を示す側面図である。
【図４】本発明で使用する処理装置の他の例を示す側面図である。
【符号の説明】
Ａ　　　ベイト材料
ａ　　　ベイト剤
ａ１　　食毒殺虫剤
ａ２　　成育抑制剤（キチン合成阻害物質）
Ｂ　　　シロアリ誘引剤
１　　　処理装置
１１　　装置本体
１１１　透孔部
１２　　蓋体
１３　　担持材料（木材、木粉、木質材料、プラスチック材料）
１３１　穴部
１４　　プラスチック製袋
２１　　処理装置
３１　　処理装置
４１　　処理装置
【図１】
2004008161.tif 000009
【図２】
2004008161.tif 000010
【図３】
2004008161.tif 000011
【図４】
2004008161.tif 000012